(57)【特許請求の範囲】
【請求項１】
略平面上に位置する開口縁を有する開口有底状に設けられ、この開口面の対向する底部に作業用穿孔が形成された内ケース、
この内ケースの開口縁よりも外側で且つ底部側に位置する開口縁を有する開口有底状に設けられ、上記内ケースを覆い内ケースとの間に吸引室を形成する外ケース、
上記内ケースの内部の空気を排気する第一排気管、
上記吸引室の空気を排気する第二排気管、及び
上記作業用穿孔を密閉状態とし、内ケースの内部に除去具を介在させた際に内ケースの外部から上記除去具を操作可能な作業可能化手段
を備えるアスベスト除去補助具。
【請求項２】
上記作業可能化手段が、可撓性を有する袋体を備える請求項１に記載のアスベスト除去補助具。
【請求項３】
上記作業可能化手段が、上記作業用穿孔に取付けられた軸受け機構と、この軸受け機構に可動に取付けられた軸体とを備える請求項１に記載のアスベスト除去補助具。
【請求項４】
上記外ケースの底部が、内ケースの底部と隙間を有するよう離間して設けられ、
外ケースの底部に、作業用穿孔が形成され、
上記作業可能化手段が、外ケースの作業用穿孔に密閉状態で付設されている請求項１、請求項２又は請求項３に記載のアスベスト除去補助具。
【請求項５】
上記外ケースの側壁及び内ケースの側壁のそれぞれに第一の穿孔が形成され、
この第一の穿孔に上記第一排気管が取り付けられている請求項１から請求項４のいずれか１項に記載のアスベスト除去補助具。
【請求項６】
上記外ケースの側壁に第二の穿孔が形成され、
この第二の穿孔に上記第二排気管が取り付けられている請求項１から請求項５の何れか１項に記載のアスベスト除去補助具。
【請求項７】
上記外ケースに付設された把持部をさらに備える請求項１から請求項６のいずれか１項に記載のアスベスト除去補助具。
【請求項８】
上記内ケースに、この内ケースの内部と吸引室とを連通する第三の穿孔が形成され、
この第三の穿孔に、吸引室と比較して内ケースの内部が一定以上負圧となった場合に開放状態となる逆止弁が付設されている請求項１から請求項７のいずれか１項に記載のアスベスト除去補助具。
【請求項９】
請求項１から請求項８のいずれか１項に記載のアスベスト除去補助具を用い、上記内ケースの開口縁を作業面に当接させ、この内ケースの開口縁によって囲堯された領域のアスベストを除去するアスベスト除去方法。
【発明の詳細な説明】
【技術分野】
【０００１】
この発明は、アスベスト除去補助具及びアスベスト除去方法に関する。
【背景技術】
【０００２】
アスベストは、耐火性、断熱性及び吸音性に優れているため、従来、建築業界において建物の壁等に幅広く使用されていた。しかし、アスベストは、吸い込むと体内に蓄積されてしまい、肺がんや悪性中皮腫等の病気を引き起こすことが判明し、その後はアスベストを含有する壁を解体等する際には、アスベストの飛散を防止する手段が講じられている。具体的には、養生シートによって作業領域を養生隔離したうえで、アスベストの除去工事がなされている。また、上記養生隔離作業にあっては、外部と作業スペースとの間にセキュリティーゾーンを設ける必要がある。そして、作業者は保護衣を着用して作業を行うことを要する。
【０００３】
上記養生隔離作業は、壁の一部分のみからアスベストを除去する場合であっても、作業者が入り作業可能なように広範囲にわたって作業領域を養生隔離する必要がある。つまり、例えば部屋の壁に電気器具のプラグ差し込み口（電源コンセント）を新たに設けたい場合にあっても、その壁がアスベストを含む限り、上記養生隔離作業が必要であり、さらに作業者は保護衣を着用する必要がある。しかし、このような養生隔離作業は極めて煩雑であり、また費用的に嵩むものである。また、作業者が保護衣を着用するのも手間であり、作業効率が悪い。
【０００４】
なお、アスベスト除去の作業効率向上のために、例えば特開２００８−２４８４７２号公報所載の装置も発案されているが、上記養生隔離作業は依然として必要であり、さらに装置自体が高額であり、結果としてアスベスト除去作業が高額化してしまうという問題を有する。
【先行技術文献】
【特許文献】
【０００５】
【特許文献１】特開２００８−２４８４７２号公報
【発明の概要】
【発明が解決しようとする課題】
【０００６】
そこで、本発明は、従来のものに比して簡便且つ迅速にしかも低コストで壁面等からアスベストを除去することができるアスベスト除去補助具及びアスベスト除去方法を提供することを課題とする。
【課題を解決するための手段】
【０００７】
上記課題を解決するためになされた発明は、
略平面上に位置する開口縁を有する開口有底状に設けられ、この開口面の対向する底部に作業用穿孔が形成された内ケース、
この内ケースの開口縁よりも外側で且つ底部側に位置する開口縁を有する開口有底状に設けられ、上記内ケースを覆い内ケースとの間に吸引室を形成する外ケース、
上記内ケースの内部の空気を排気する第一排気管、
上記吸引室の空気を排気する第二排気管、及び
上記作業用穿孔を密閉状態とし、内ケースの内部に除去具を介在させた際に内ケースの外部から上記除去具を操作可能な作業可能化手段
を備えるアスベスト除去補助具である。
【０００８】
当該アスベスト除去補助具にあっては、内ケースの内部に除去具を介在させておき、壁面等の作業面のアスベストを除去したい部分を内ケースの開口縁によって囲堯するよう内ケースの開口縁を作業面に当接させて、この状態で作業用穿孔に設けられた作業可能化手段を介して上記除去具を内ケースの外部から操作することにより、上記開口縁によって囲堯された領域のアスベストの除去を上記除去具で行うことができ、アスベスト除去作業を容易且つ確実に行うことができる。この際、アスベストを除去している領域は内ケースによって囲まれているので、この内ケース内で飛散するアスベストは第一排気管から排出することができる。また、作業用穿孔は作業可能化手段によって密閉状態が保たれているため、この作業用穿孔から内ケース内で飛散するアスベストが外部に飛散することが防止されている。さらに、内ケースの開口縁が作業面と当接するものの、この当接によって作業面から仮にアスベストが外側に僅かに飛散したとしても、内ケースを覆う外ケースによって吸引室が設けられているので、この飛散したアスベストは、この吸引室から第二排気管によって排出されるため、アスベストの飛散を確実に防止することができる。なお、外ケースの開口縁は内ケースの開口縁よりも底部側に位置するので、上記のように作業面に内ケースの開口縁を当接させた状態において作業面と当接せずに一定距離離間することになり、この外ケースの開口縁によってはアスベストが飛散しない。このようにアスベストの外部への飛散が当該アスベスト除去補助具によって防止されているため、従来のような養生隔離作業等が必ずしも必要でない。
【０００９】
当該アスベスト除去補助具にあっては、作業可能化手段が、可撓性を有する袋体を備える構成を採用することができる。かかる構成を採用すると、この袋体を介して作業用穿孔から手等を内ケースの内部に挿入して、内ケースの内部に介在させた除去具を袋体を介して把持して、この除去具によって容易且つ確実にアスベスト除去作業を行うことができる。つまり、例えば内ケースの内部にスクレーバーやヘラ等の除去具を入れた状態で上記のように内ケースの開口縁を作業面に当接させ、そして袋体から作業者の手を挿入して、除去具を把持して、この除去具によって作業面からアスベストの除去を容易且つ確実に行うことができる。
【００１０】
また、当該アスベスト除去補助具にあっては、作業可能化手段が、作業用穿孔に取付けられた軸受け機構と、この軸受け機構に対して可動に取付けられた軸体とを備える構成を採用することができる。かかる構成を採用すると、軸体の内ケースの内部に位置する部分（例えば先端部）に除去具（例えば砥石）を取付けて、軸体を外側から操作することで除去具を操作することができ、これにより容易且つ確実にアスベストの除去作業を行うことができる。
【００１１】
また、当該アスベスト除去補助具にあっては、外ケースの底部と内ケースの底部とが同一平面に位置し、つまりは内ケースの底部から連続して外側に外ケースの底部が設けられている構成を採用することも可能であるが、外ケースの底部が、内ケースの底部と隙間を有するよう離間して設けられていることが好ましい。これにより、第二排気管によって吸引室のアスベストを的確且つ確実に排出することができる。つまり、例えば第二排気管から遠い位置（内ケースを挟んで第二排気管と対向する位置）に仮にアスベストが飛散したとしても、このアスベストは外ケースの底部と内ケースの底部との間の隙間を通り、第二排気管まで到達することができるので、的確且つ確実にアスベストを排出することができる。
【００１２】
さらに、上記のように外ケースの底部と内ケースの底部とが隙間を有するよう構成された場合には、外ケースの底部に作業用穿孔が形成され、作業可能化手段が外ケースの作業用穿孔に密閉状態で付設されている構成を採用することが好ましい。これにより、外ケースの作業用穿孔及び内ケースの作業用穿孔から作業手段を内ケース内に挿入してアスベスト除去作業が行い得るとともに、外ケースの作業用穿孔には作業可能化手段が密閉状態で付設されているので、外ケースの作業用穿孔からアスベストが飛散することを的確に防止することができる。
【００１３】
また、当該アスベスト除去補助具にあっては、第一排気管が内ケースの底部に取り付けられた構成を採用することも可能であるが、外ケースの側壁及び内ケースの側壁のそれぞれに第一の穿孔が形成され、この第一の穿孔に第一排気管が取り付けられている構成を採用することが好ましい。これにより、作業者が作業を行う底部側に第一排気管が位置することがないので、作業者によるアスベスト除去作業が容易且つ確実に行い得る。
【００１４】
さらに、当該アスベスト除去補助具にあっては、第二排気管が外ケースの底部に取り付けられた構成を採用することも可能であるが、外ケースの側壁に第二の穿孔が形成され、この第二の穿孔に第二排気管が取り付けられている構成を採用することが好ましい。これにより、作業者が作業を行う底部側に第二排気管が位置することがないので、作業者によるアスベスト除去作業が容易且つ確実に行い得る。
【００１５】
また、当該アスベスト除去補助具にあっては、外ケースに付設された把持部をさらに備える構成を採用することが好ましい。これにより、把持部を把持することにより当該アスベスト除去補助具を所望の位置に固定した状態で上記アスベスト除去作業を行うことができる。つまり、例えば一方の手で把持部を把持し、他方の手でアスベスト除去作業を行うことかできる。
【００１６】
さらに、当該アスベスト除去補助具にあっては、内ケースに、この内ケースの内部と吸引室とを連通する第三の穿孔が形成され、この第三の穿孔に、吸引室と比較して内ケースの内部が一定以上負圧となった場合に開放状態となる逆止弁が付設されている構成を採用することが好ましい。これにより内ケースの内部が負圧になり過ぎた場合には、逆止弁が開き、吸引室の空気が内ケースの内部に流れ込み、それ以上負圧となり過ぎることがなく、このため真空による各部材の損傷を防ぐことができる。また、逆止弁が開放されても内ケースの内部から吸引室へ空気は流れないので、内ケースの内部に飛散するアスベストが吸引室に流れ込むことが防止される。さらに、仮に内ケースの内部から吸引室に僅かのアスベストが流れ込んだとしても、この流れ込んだアスベストは、この吸引室から第二排気管によって排出されるため、アスベストの飛散を確実に防止することができる。
【００１７】
また、本発明のアスベスト除去方法は、上述した構成からなる当該アスベスト除去補助具を用い、内ケースの開口縁を作業面に当接させ、この内ケースの開口縁によって囲堯された領域のアスベストを除去することを特徴とする。これにより、上述の通りアスベストが外部に飛散することがなく、容易且つ確実にアスベスト除去作業を行うことができる。
【発明の効果】
【００１８】
以上説明したように、当該アスベスト除去補助具及びこれを用いたアスベスト除去方法によれば、容易且つ確実にアスベストの除去作業を行うことができるので、従来のものに比して簡便且つ迅速にしかも低コストで壁面等の作業面からアスベストを除去することができる。
【図面の簡単な説明】
【００１９】
【図１】本発明の一実施形態に係るアスベスト除去補助具の使用状態を示す概略的斜視図である。
【図２】図１のアスベスト除去補助具の使用状態であって壁面側から見た概略的斜視図である。
【図３】図１のアスベスト除去補助具の概略的断面側面図である（底部の把持部の図示は省略している）。
【図４】図１のアスベスト除去補助具の概略的断面平面図である。
【図５】本発明の他の実施形態に係るアスベスト除去補助具の使用状態を示す概略的斜視図である。
【図６】図５のアスベスト除去補助具の概略的断面側面図である。
【発明を実施するための形態】
【００２０】
以下、適宜図面を参照しつつ本発明の実施の形態を詳説する。
【００２１】
＜第一実施形態＞
まず、本発明の第一の実施形態のアスベスト除去補助具１として、図１〜３に示すように、アスベスト除去補助具１が、開口有底状の内ケース１０、この内ケース１０を覆い内ケース１０との間に吸引室Ｓを形成する開口有底状の外ケース２０、内ケース１０の内部の空気を排気する第一排気管３０及び吸引室Ｓの空気を排気する第二排気管４０を備えているものを例にとり説明する。
【００２２】
上記内ケース１０は、一方の面が開口面に設けられた縦長の立方体状に設けられ、四つの側壁１２と一つの底部１１とから構成されている。そして、この開口面を構成する開口縁１０ａが平面状に位置するよう設けられ、平らな壁面Ｗ（作業面）に密接して当接できるよう設けられている。ここで、内ケース１０は、横幅が４００ｍｍで縦幅が４５０ｍｍで奥行きが１７５ｍｍに設けられている（何れも外径寸法であり、以下同じ）。
【００２３】
また、内ケース１０には、底部１１に作業用穿孔１３が形成されており、一つの側壁１２（図において下側の側壁）に第一の穿孔１４が形成されている。さらに、内ケース１０には、一つの側壁１２（図において上側の側壁）に潤滑剤供給用パイプ５０が付設される潤滑剤用穿孔１６が形成されている。上記作業用穿孔１３は径１５０ｍｍの円形に設けられ、第一の穿孔１４は径５０ｍｍの円形に設けられ、潤滑剤用穿孔１６，２６は径５ｍｍの円形に設けられている。
【００２４】
上記外ケース２０は、一方の面が開口面に設けられた縦長の立方体状に設けられ、四つの側壁２２と一つの底部２１とから構成されている。そして、この開口面を構成する開口縁２０ａが上記内ケース１０の開口縁１０ａと平行な平面状に位置するよう設けられている。この外ケース２０の開口縁２０ａは、図３に示すように内ケース１０の開口縁１０ａよりも底部１１側に位置するよう設けられ、内ケース１０の開口縁１０ａが当接する壁面Ｗに当接しないように設けられている。外ケース２０は、横幅が３８０ｍｍで縦幅が４２０ｍｍで設けられており、外ケース２０の横側の側壁２２は内ケース１０の横側の側壁１２と１０ｍｍ程度離間して設けられている。また、外ケース２０は、奥行きが１７５ｍｍに設けられており、外ケース２０の開口縁２０ａは内ケース１０の開口縁１０ａよりも奥行き方向２０ｍｍだけ底部１１，２１側に位置している。また、外ケース２０の底部２１は、内ケース１０の底部１１と奥行き方向２０ｍｍ離間して設けられている。なお、図示していないが、外ケース２０の底部２１と内ケース１０の底部１１との間に柱状のスペーサ部材を配設して、外ケース２０と内ケース１０とを連結することも適宜設計変更可能である。
【００２５】
また、外ケース２０には、底部２１に作業用穿孔２３が形成されており、一つの側壁２２（図において下側の側壁）に第一の穿孔２４が形成され、他の一つの側壁２２（図１において右側の側壁）に第二の穿孔２５（符号については図２等参照）が形成されている。さらに、外ケース２０には、一つの側壁２２（図において上側の側壁）に潤滑剤供給用パイプ５０が付設される潤滑剤用穿孔２６が形成されている。上記作業用穿孔２３は径１５０ｍｍの円形に設けられ、第一の穿孔２４は径５０ｍｍの円形に設けられ、第二の穿孔２５は径４０ｍｍの円形に設けられ、潤滑剤用穿孔２６は径５ｍｍの円形に設けられている。
【００２６】
内ケース１０及び外ケース２０は、何れも透明に設けられ、外側から内部が視認可能に設けられている。また、内ケース１０及び外ケース２０は、樹脂から構成され、それぞれ一体成型されて形成されている。
【００２７】
内ケース１０及び外ケース２０の上記第一の穿孔１４，２４には、上記第一排気管３０が取り付けられている。ここで、第一排気管３０は径５０ｍｍであり、上記第一の穿孔１４，２４に密閉状態で取り付けられている。この第一排気管３０は、他方側において掃除機等の吸引装置（図示省略）に取り付けられ、内ケース１０及び外ケース２０間の吸引室Ｓの空気を吸引することができる。
【００２８】
外ケース２０の上記第二の穿孔２５には、上記第二排気管４０が取り付けられている。ここで、第二排気管４０は径４０ｍｍであり、上記第二の穿孔２５に密閉状態で取り付けられている。この第二排気管４０は、他方側において掃除機等の吸引装置（図示省略）に取り付けられ、内ケース１０内の空気を吸引することができる。なお、この第二排気管４０に接続される吸引装置と第一の排気管が接続される吸引装置とを異なる吸引装置とすることができ、また、同一の吸引装置に第二排気管４０及び第一排気管３０を接続することも可能である。
【００２９】
また、当該アスベスト除去補助具１は、外ケース２０に付設され作業者が把持可能な把持部６０を備えている。本実施形態では二つの把持部６０が設けられており、一つの把持部６０は、外ケース２０の側壁２２（図１において左側）に固着され、側壁１２から外側（左側）に突出するよう設けられている。他方の把持部６０は、外ケース２０の底部２１に固着され、平面視略Ｕ字状の形成されており、略Ｕ字状の両端部がそれぞれ底部２１に固着されている。
【００３０】
また、当該アスベスト除去補助具１は、内ケース１０及び外ケース２０の作業用穿孔１３，２３に密閉状態で付設された作業可能化手段７０を有する。この作業可能化手段７０は、可撓性を有する袋体７１と、袋体７１の開口縁に設けられ上記作業用穿孔１３，２３に取り付けられた筒状のパッキン部材７２とを備えている。このパッキン部材７２は、外周に周方向に沿って形成された二つの凹条溝を有し、この凹条溝に作業用穿孔１３，２３の縁部が装着されている。この作業可能化手段７０によって、作業者の手を袋体７１の中に挿入することにより、手を内ケース１０内に挿入して作業が可能となる。
【００３１】
上記構成からなる第一実施形態のアスベスト除去補助具１を用いて、次のようなアスベスト除去方法を実施することができる。
【００３２】
まず、内ケース１０の内部にスクレーバー等の剥離具（除去具）を入れた状態で、作業者は一方の手で把持部６０を把持しつつ、壁面Ｗのアスベストを除去したい部分を内ケース１０の開口縁１０ａによって囲堯するよう内ケース１０の開口縁１０ａを壁面Ｗに当接させる。そして、上部の潤滑剤供給用パイプ５０から潤滑材を壁面Ｗに供給して、壁面Ｗを潤滑化する。そして、作業者の他方の手を袋体７１の内部に挿入して、内ケース１０内の剥離具を把持し、この剥離具によって壁面Ｗからアスベストを除去でき、アスベスト除去作業を容易且つ確実に行うことができる。
【００３３】
特に、外ケース２０及び内ケース１０は何れも透明に設けられているので、作業者は作業領域を視認しつつ的確にアスベスト除去作業を行うことができる。
【００３４】
このアスベスト除去に際して作業領域（アスベストを除去している箇所）は内ケース１０によって囲まれているので、この内ケース１０内で飛散するアスベストは第一排気管３０から排出することができる。特に、第一排気管３０は下側の側壁１２に付設されているため、除去したアスベストをも排出することができる。
【００３５】
また、内ケース１０の開口縁１０ａが壁面Ｗと当接するものの、この開口縁１０ａの当接する壁面Ｗから仮にアスベストが外側に飛散したとしても、外ケース２０によって吸引室Ｓが設けられているので、この飛散したアスベストは、この吸引室Ｓ内から第二排気管４０によって排出され、アスベストの外部への飛散を確実に防止することができる。特に外ケース２０の底部２１と内ケース１０の底部１１との間に隙間が設けられているので、第二排気管４０から内ケース１０を挟んで対向する位置（図１における左側）に仮にアスベストが飛散したとしても、このアスベストは外ケース２０の底部２１と内ケース１０の底部１１との間の隙間を通り、第二排気管４０まで到達することができるので、的確且つ確実にアスベストを排出することができる。
【００３６】
このようにアスベストの外部への飛散が当該アスベスト除去補助具１によって防止されているため、従来のような養生隔離作業や保護衣の着用等が必要でない。なお、当該アスベスト除去補助具１を養生隔離された領域で用いることも可能であることは言うまでもない。
【００３７】
このように当該アスベスト除去補助具１を用いたアスベスト除去方法によれば、アスベストを外部に飛散させることなく、容易且つ確実にアスベストの除去作業を行うことができるので、従来のものに比して簡便且つ迅速にしかも低コストで壁面Ｗからアスベストを除去することができる。
【００３８】
また、作業用穿孔１３，２３に作業可能化手段７０が、また第一の穿孔１４，２４に第一排気管３０が、さらに第二の穿孔２５に第二排気管４０が、何れも密閉状態で付設されているので、内ケース１０内及び吸引室Ｓ内の気密状態が維持され、アスベストの外部への飛散をより的確に防止することができる。
【００３９】
また、第一排気管３０及び第二排気管４０は側壁１２，２２に付設されているので、作業者が作業を行う底部１１，２１側に第一排気管３０及び第二排気管４０が位置することがなく、このため作業者はアスベスト除去作業を容易且つ確実に行い得る。
【００４０】
また、外ケース２０に付設された把持部６０を把持しつつ、当該アスベスト除去補助具１を所望の位置に固定した状態で上記アスベスト除去作業を行うことができ、より容易且つ確実にアスベスト除去作業を行うことができる。
【００４１】
＜第二実施形態＞
次に、本発明の第二の実施形態のアスベスト除去補助具１を図４及び図５を参酌しつつ説明する。この第二実施形態のアスベスト除去補助具１は、第一実施形態のアスベスト除去補助具１と同様に、開口有底状の内ケース１０、この内ケース１０を覆い内ケース１０との間に吸引室Ｓを形成する開口有底状の外ケース２０、内ケース１０の内部の空気を排気する第一排気管３０及び吸引室Ｓの空気を排気する第二排気管４０を備えている。なお、以下、第二の実施形態の説明にあたり、第一の実施形態と同様の構成及び作用を有する部材については同一符号を用いてその説明を省略することがある。
【００４２】
上記内ケース１０及び外ケース２０は、第一実施形態と異なり、一方の面が開口し、他方の面に底部１１，２１を有する有底円筒状に設けられている。そして、内ケース１０と外ケース２０とは、その中心軸が同軸に位置するように配設されている。なお、第一の穿孔１４，２４、第二の穿孔２５、第一排気管３０及び第二排気管４０は第一実施形態と略同様の構成である。また、図示していないが、第二実施形態においても第一実施形態と同様に潤滑剤用穿孔と潤滑剤供給用パイプとが設けられている。
【００４３】
また、内ケース１０及び外ケース２０には、底部１１，２１に作業用穿孔１３，２３が形成されている。ここで、この内ケース１０の作業用穿孔１３と外ケース２０の作業用穿孔２３とは、上記中心軸方向から見た位置が一致し、且つ同径の円形に設けられている。
【００４４】
そして、この内ケース１０の作業用穿孔１３と外ケース２０の作業用穿孔２３とには、密閉状態で作業可能化手段７０が付設されている。第二実施形態の作業可能化手段７０は、内ケース１０の作業用穿孔１３と外ケース２０の作業用穿孔２３とに両端側が取付けられた筒体７５、この筒体７５の両端側で内部に取付けられた軸受け機構７６、及びこの軸受け機構７６に可動に取付けられた軸体７７とを有している。
【００４５】
ここで、軸体７７には、先端部（内ケース１０の内部側の端部）に除去具７８が固定されている。ここで除去具７８としては砥石（研磨砥石）を採用できる。
【００４６】
また、軸体７７は、中央部の軸部（軸受け機構７６と接する部位）が断面円形に設けられている。そして、軸受け機構７６は、この軸体７７をスライド可能で且つ回転可能に軸支している。具体的には、軸受け機構７６としては、ボールベアリング等を採用可能である。
【００４７】
さらに、軸体７７は、基端部（外ケース２０の外部側の端部）の形状が他の工具に接続可能な形状に形成されている。具体的には、断面六角形状に形成され、インパクトドライバー等の電動工具に接続可能に設けられている。
【００４８】
なお、上記作業用穿孔１３，２３の大きさを、軸体７７が挿通できる程度の大きさとして、この作業用穿孔１３，２３の周囲の底部１１，２１に上記筒体７５の端面又は軸受け機構７６を取付けることも適宜設計変更可能である。また、筒体７５も底部又は蓋部を有し、この筒体の底部又は蓋部に軸体７７が挿通できるような穿孔を形成し、この底部又は蓋部に上記軸受け機構７６を取付けることも適宜設計変更可能である。
【００４９】
また、第二実施形態においては、内ケース１０に、この内ケース１０の内部と吸引室Ｓとを連通する第三の穿孔が形成され、この第三の穿孔に逆止弁１９が付設されている。この逆止弁１９は、吸引室Ｓから内ケース１０の内側への空気の流れは許容し、内ケース１０の内側から吸引室Ｓへの空気の流れは阻害するよう構成されている。具体的には、この逆止弁１９は、吸引室Ｓと比較して内ケース１０の内部が一定以上負圧となった場合に開放状態となり、一定以上負圧となっていない場合には閉塞状態が維持されるよう構成されている。なお、このような逆止弁１９は、第一実施形態のアスベスト除去補助具の内ケースにも形成することが可能である。
【００５０】
なお、第二実施形態のアスベスト除去補助具１は第一実施形態と異なり把持部を設けていないが、第二実施形態において把持部を設けることは適宜設計変更可能である。
【００５１】
上記構成からなる第二実施形態のアスベスト除去補助具１を用いて、次のようなアスベスト除去方法を実施することができる。なお、第二の実施形態のアスベスト除去方法及び利点を説明にあたり、第一の実施形態と同様の方法及び利点については説明を省略することがある。
【００５２】
まず、壁面のアスベストを除去するにあたり、軸体７７の基端部を電動工具に接続しておく。なお、先端部の砥石７８（除去具）を着脱可能に設けている場合には、作業目的に応じて先端部の除去具７８を交換することも可能である。
【００５３】
そして、壁面のアスベストを除去したい部分を内ケース１０の開口縁１０ａによって囲堯するよう内ケース１０の開口縁１０ａを壁面に当接させる。そして、壁面を潤滑化させた後に、軸体７７を壁面側にスライドさせて砥石７８を壁面に当接させる。そして、電動工具によって軸体７７を回転させることにより、砥石７８によって壁面からアスベストを除去でき、これによりアスベスト除去作業を容易且つ確実に行うことができる。
【００５４】
また、内ケース１０の第三の穿孔に逆止弁１９が付設されているので、内ケース１０の内部が負圧になり過ぎた場合には、逆止弁１９が開き、吸引室Ｓの空気が内ケース１０の内部に流れ込み、それ以上負圧となり過ぎることがなく、このため真空による各部材の損傷を防ぐことができる。また、逆止弁１９が開放されても内ケース１０の内部から吸引室Ｓへ空気は流れないので、内ケース１０の内部に飛散するアスベストが吸引室Ｓに流れ込むことが防止される。さらに、仮に内ケース１０の内部から吸引室Ｓに僅かのアスベストが流れ込んだとしても、この流れ込んだアスベストは、この吸引室Ｓから第二排気管４０によって排出されるため、アスベストの飛散を確実に防止する
【００５５】
＜その他の実施形態＞
なお、本発明は上記実施形態の他、種々の変更、改良を施した態様で実施することができる。
【００５６】
つまり、作業可能化手段７０としては、第一実施形態のように袋体７１を有するもの、また第二実施形態のように軸受け機構７６とこの軸受け機構７６にスライド可能且つ回転可能に軸支された軸体７７を有するものに、本発明はこれに限定されるものではない。
【００５７】
また、作業可能化手段として、第一実施形態のように袋体を有する場合であっても、上記実施形態のものに限定されるものではなく、例えば手袋状に形成された袋体を採用することも可能である。
【００５８】
また、作業可能化手段として、第二実施形態のように軸受け機構に可動に軸体を取り付けた場合にあっても、軸体をスライド可能且つ回転可能に設けることに限定されるものではない。つまり、軸受け機構に対して軸体が「可動」であるとは、回転可能、揺動可能又はスライド可能等の少なくとも何れかの動きが可能であり、アスベスト除去作業を行うことができる動きが可能であれば足りる。ただし、軸受け機構に軸体が回転可能に軸支されていることが好ましく、これにより軸体の回転によりアスベストの除去が容易且つ確実に行い得る。さらに、軸受け機構に軸体が回転可能で且つ作業面（壁面）に向けて接近離反する方向にスライド可能に軸支されていることがより好ましい。これにより、剥離の開始・停止（終了）に応じて、軸体に取り付けた除去具を作業面に当接・離反させることができ、その操作性が高く、的確且つ確実な除去作業を行うことができる。
【００５９】
また、上記第二実施形態のアスベスト除去補助具においては、軸体７７に取付けられた除去具７８を具備するものであったが、この除去具は必須の構成要件ではなく、例えば除去具が軸体にその都度（作業に応じて）着脱されるよう構成することも設計変更可能な事項である。また、除去具も砥石に限定されるものではなく、例えば穴あけ用ドリルや、ドライバー等のようにアスベルトの除去とともに穿孔等を形成するものであっても採用可能である。
【００６０】
さらに、上記第一実施形態及び第二実施形態においては、内ケース１０の底部１１と外ケース２０の底部１１との間に隙間を有するものについて説明したが、本発明はこれに限定されるものではなく、例えば外ケース２０の底部１１が内ケース１０の底部１１から外側に連接した構造であっても良い。なお、この場合には、外ケース２０には作業用穿孔１３，２３が設ける必要がない。
【００６１】
また、上記第一実施形態及び第二実施形態のアスベスト除去方法に限定されるものではなく、例えば上記第一実施形態又は第二実施形態のように一定の領域のアスベストを除去した後に、この除去した領域に連続する領域のアスベストを上記第一実施形態の方法又は第二実施形態の方法により除去し、これを連続して行ってアスベストが除去された領域が環状（例えば四角枠状）となるようにし、このアスベストを除去した領域を利用して養生シートを貼着して、この養生シート内のアスベストを除去するようなアスベスト除去方法も本発明の意図する範囲内である。
【００６２】
さらに、上記第一実施形態及び第二実施形態においては外ケース２０及び内ケース１０の双方が透明に設けられているものについて説明したが、本発明はこれに限定されない。但し、外ケース及び内ケースが、外部から作業領域が視認できるような視認可能化手段を有することが好ましい。例えば、内ケースの一部（例えば底部）及び外ケースの一部（例えば底部）に透明な窓部（視認可能化手段）を設けて、この窓部を介して作業者が作業領域を視認できるよう設けることが可能である。
【００６３】
また、上記第一実施形態においては、外ケース２０及び内ケース１０が立方体状に設けられたものについて説明し、また第二実施形態においては、外ケース２０及び内ケース１０が有底円筒状体に設けられたものについて説明したが、本発明においてこの形状は特に限定されるものではなく、例えば有底の六角筒状（多角形の筒状）のものや半球状のもの等も採用することができる。なお、半球状のものの場合には、「底部」とは接線方向が作業面に対して７０°以内となるような箇所を意味し、その他の部分が「側壁」に相当するものである。
【産業上の利用可能性】
【００６４】
以上のように、本発明のアスベスト除去補助具は、壁面等から容易且つ的確にアスベストを除去することができ、従来のアスベスト除去作業に代えて用いることができる。
【符号の説明】
【００６５】
１  アスベスト除去補助具
１０  内ケース
１０ａ  開口縁
１１  底部
１２  側壁
１３  作業用穿孔
１４  第一の穿孔
１６  潤滑剤用穿孔
１９  逆止弁
２０  外ケース
２０ａ  開口縁
２１  底部
２２  側壁
２３  作業用穿孔
２４  第一の穿孔
２５  第二の穿孔
２６  潤滑剤用穿孔
３０  第一排気管
４０  第二排気管
５０  潤滑剤供給用パイプ
６０  把持部
７０  作業可能化手段
７１  袋体
７２  パッキン部材
７５  筒体
７６  軸受け機構
７７  軸体
７８  除去具（砥石）
Ｓ  吸引室
Ｗ  壁面
【要約】
【課題】本発明は、従来のアスベスト除去方法に比して簡便且つ迅速にしかも低コストで壁面等からアスベストを除去するアスベスト除去方法を行うことのできるアスベスト除去補助具及びを提供することを課題とする。
【解決手段】本発明のアスベスト除去補助具は、略平面上に位置する開口縁を有する開口有底状に設けられ、この開口面の対向する底部に作業用穿孔が形成された内ケース、この内ケースの開口縁よりも外側で且つ底部側に位置する開口縁を有する開口有底状に設けられ、上記内ケースを覆い内ケースとの間に吸引室を形成する外ケース、上記内ケースの内部の空気を排気する第一排気管、上記吸引室の空気を排気する第二排気管、及び上記作業用穿孔を密閉状態とし、内ケースの内部に除去具を介在させた際に内ケースの外部から上記除去具を操作可能な作業可能化手段を備える。
【選択図】図１【図１】
0004799705.tif 000002
【図２】
0004799705.tif 000003
【図３】
0004799705.tif 000004
【図４】
0004799705.tif 000005
【図５】
0004799705.tif 000006
【図６】
0004799705.tif 000007